(57)【特許請求の範囲】
【請求項１】
本体枠と、前記本体枠の前面側に一側縁の上下を軸着することにより開閉可能に形成された開閉部材とを備える遊技機において、
前記本体枠の一側縁に設けられている上方の係合部および下方の係合部と、前記開閉部材の一側縁に設けられ前記本体枠の上方の係合部および下方の係合部のそれぞれと係合する上方の被係合部および下方の被係合部とにより、前記開閉部材が前記本体枠に対して脱着可能に軸着されており、
前記本体枠の下方の前記係合部或いは前記開閉部材の下方の前記被係合部の何れか一方に、下側係合穴を有する下側固定板部が設けられ、前記下側の前記係合部或いは前記下側の前記被係合部の他方に、前記下側係合穴に係合する下側軸部材を有する下側軸固定部が設けられ、
前記本体枠の上方の前記係合部には上側係合穴を有する上側固定板部が設けられ、前記開閉部材の上方の前記被係合部には前記上側固定板部の前記上側係合穴に係合する突出状態と引っ込み状態に移動可能な上側軸部材を有する上側軸固定部が設けられ、
前記上側軸部材は、突出状態の際に前記上側係合穴に係合可能に構成される一方、引っ込み状態の際に前記上側係合穴との係合が解除可能に構成され、
前記開閉部材に前記上側軸部材の状態を操作可能な操作部が設けられ、
前記下側固定板部或いは前記下側軸固定部には、前記開閉部材を前記本体枠に閉鎖する際に前記開閉部材を支持する凸状の支持部が設けられ、
前記開閉部材を前記本体枠に閉鎖する場合は前記支持部によって前記開閉部材が前記本体枠に対して略水平な状態に支持し、前記支持部によって支持された状態では前記開閉部材の前記本体枠への軸着側の上下方向の可動領域が広がらずに前記開閉部材の取り外しが困難になる一方、前記本体枠から前記開閉部材を一定角度以上開放した場合は前記支持部による支持が解除されることによって前記開閉部材が前記上側係合穴と前記上側軸部材および前記下側係合穴と前記下側軸部材の係合によって直接支持されると共に前記開閉部材の前記本体枠への軸着側が前記支持部によって支持されていた位置よりも前記支持部の高さ分下方に移動することで前記本体枠の前記上側固定板部と前記開閉部材の前記上側軸固定部との間が拡大して閉鎖時よりも前記開閉部材の前記本体枠への軸着側の上下方向の可動領域が広がり、前記上側固定板部と前記上側軸固定部との間が拡大した状態で前記操作部を操作して前記上側軸部材を前記引っ込み状態とすることで前記上側係合穴と前記上側軸部材の係合を解除して一旦係合状態を前記下側係合穴と前記下側軸部材の係合のみにした後前記開閉部材の開放端部側を下方に傾けながら前記上側固定板部との干渉を避けて前面側に前記開閉部材を引き出すことにより前記本体枠の前記下側軸部材或いは前記下側係合穴の一方に対して前記開閉部材の前記下側軸部材或いは前記下側係合穴の他方を傾斜した状態で乗り越えさせて前記開閉部材を取り外すことが可能な構成としたことを特徴とする遊技機。
【請求項２】
前記支持部の前記凸部が、前記開閉部材を一定角度以上開放した状態から閉鎖した状態に移動する際に前記開閉部材を下方から上方に向けて誘導し易くするための傾斜部を備えることを特徴とする請求項１に記載の遊技機。
【請求項３】
前記支持部が、前記本体枠に前記開閉部材を閉鎖した状態で、前記開閉部材の軸着中心部に対し前記開閉部材の開放端部側となる位置に設けられていることを特徴とする請求項１または請求項２に記載の遊技機。
【発明の詳細な説明】
【技術分野】
【０００１】
本発明は、本体枠に開閉及び脱着が可能に取り付けられる開閉部材を有する遊技機に関する。
【背景技術】
【０００２】
従来、額縁形状の機枠と該機枠の前面側に取り付けられた前面枠と、該前面枠に一側縁が軸着により開閉可能に構成された開閉部材とを備えるパチンコ遊技機が公知である（例えば、特許文献１参照。）。
【０００３】
前記開閉部材としては、例えば遊技領域を視認可能に保護するガラスを保持したガラス枠や、遊技媒体を貯留可能な皿部材等がある。ガラス枠には、飾りランプ等が取り付けられるように、ガラス保持以外の機能を持たせることが多い。また皿部材にも装飾ランプ等が設けられることが多い。ガラス枠や皿部材等の開閉部材は、遊技機の製造や修理等の作業を効率よく行うために、遊技機の前面枠等の本体枠から開閉可能であり、更に本体枠から脱着可能な構造に形成されている。
【０００４】
上記従来の遊技機は、図２３に示すように、本体枠１０１からの開閉部材１０２の開閉及び脱着を可能とするために、開閉部材１０２の一側縁１０３が本体枠１０１の一側縁１０４に軸着されている。この構造は、本体枠１０１の一側縁１０４に係合部を設け、開閉部材１０２の一側縁１０３に前記係合部と係合する被係合部を設け、係合部或いは被係合部の一方に係合穴１０５が形成された固定板部１０６を設け、他方に係合穴１０５に係合する軸部材１０７が形成された軸固定部１０８を設けて構成される。係合穴１０５に軸部材１０７を挿入することで、開閉部材１０２が本体枠１０１に対し開閉可能に軸着される。
【０００５】
更に上記従来の遊技機は、軸部材１０７が係合穴１０５に挿入した状態と、軸部材１０７が係合穴１０５に挿入しない状態とを変位可能に構成することで、軸部材１０７と係合穴１０５との係合状態を切換えて、本体枠１０１から開閉部材１０２を取り外すことが可能に構成されていた。
【特許文献１】特開平１１−１２８４８２号公報（段落０００５、００２９〜００３１、図１１、１２、２３等）
【発明の開示】
【発明が解決しようとする課題】
【０００６】
しかしながら、上記従来の遊技機は、図２４（ａ）、（ｂ）に示すように、開閉部材１０２の一側縁１０３が本体枠１０１に支持されているが、開放端部側となる他側縁１１０が、どこにも支持されていないために、開閉部材１０２を開放した際に、開閉部材１０２の自重により他側縁１１０が垂れ下がる場合があった。そして図２４（ｂ）に示すように開閉部材の他端縁１１０が垂れ下がった状態のまま開閉部材１０２を本体枠１０１へ閉めようとすると、本体枠１０１と開閉部材１０２にズレが生じ、開閉部材１０２を水平に保持するように本体枠１０１と位置を合わせて組み付ける必要があり、組み付け難いという問題があった。
【０００７】
また同図に示すように、本体枠１０１の一側縁１０４の係合部の間隔Ｄ１を開閉部材１０２の一側縁の上下の長さＤ２とほぼ同じ長さにする等、出来るだけ本体枠１０１の係合部の間隔Ｄ１を狭めて、開閉部材１０２の他端側が垂れ下がるのを抑制しようとする方法も考えられる。しかし、そのように係合部の間隔Ｄ１を狭くして組み付けし易くすると、本体枠１０１から開閉部材１０２を取り外す場合に窮屈となり、開閉部材１０２の取り外し作業がし難くなってしまうという問題があった。
【０００８】
上記実状に鑑み、本発明が解決しようとする課題は、開閉部材を本体枠に取付て閉鎖する際に取付と閉鎖がし易く、且つ開閉部材を取り外す際には取外し易く、開閉部材の脱着作業が容易である遊技機を提供することにある。
【課題を解決するための手段】
【０００９】
上記課題を解決するために、本発明遊技機は、請求項1に記載のように、本体枠と、前記本体枠の前面側に一側縁の上下を軸着することにより開閉可能に形成された開閉部材とを備える遊技機において、前記本体枠の一側縁に設けられている上方の係合部および下方の係合部と、前記開閉部材の一側縁に設けられ前記本体枠の上方の係合部および下方の係合部のそれぞれと係合する上方の被係合部および下方の被係合部とにより、前記開閉部材が前記本体枠に対して脱着可能に軸着されており、前記本体枠の下方の前記係合部或いは前記開閉部材の下方の前記被係合部の何れか一方に、下側係合穴を有する下側固定板部が設けられ、前記下側の前記係合部或いは前記下側の前記被係合部の他方に、前記下側係合穴に係合する下側軸部材を有する下側軸固定部が設けられ、前記本体枠の上方の前記係合部には上側係合穴を有する上側固定板部が設けられ、前記開閉部材の上方の前記被係合部には前記上側固定板部の前記上側係合穴に係合する突出状態と引っ込み状態に移動可能な上側軸部材を有する上側軸固定部が設けられ、前記上側軸部材は、突出状態の際に前記上側係合穴に係合可能に構成される一方、引っ込み状態の際に前記上側係合穴との係合が解除可能に構成され、前記開閉部材に前記上側軸部材の状態を操作可能な操作部が設けられ、前記下側固定板部或いは前記下側軸固定部には、前記開閉部材を前記本体枠に閉鎖する際に前記開閉部材を支持する凸状の支持部が設けられ、前記開閉部材を前記本体枠に閉鎖する場合は前記支持部によって前記開閉部材が前記本体枠に対して略水平な状態に支持し、前記支持部によって支持された状態では前記開閉部材の前記本体枠への軸着側の上下方向の可動領域が広がらずに前記開閉部材の取り外しが困難になる一方、前記本体枠から前記開閉部材を一定角度以上開放した場合は前記支持部による支持が解除されることによって前記開閉部材が前記上側係合穴と前記上側軸部材および前記下側係合穴と前記下側軸部材の係合によって直接支持されると共に前記開閉部材の前記本体枠への軸着側が前記支持部によって支持されていた位置よりも前記支持部の高さ分下方に移動することで前記本体枠の前記上側固定板部と前記開閉部材の前記上側軸固定部との間が拡大して閉鎖時よりも前記開閉部材の前記本体枠への軸着側の上下方向の可動領域が広がり、前記上側固定板部と前記上側軸固定部との間が拡大した状態で前記操作部を操作して前記上側軸部材を前記引っ込み状態とすることで前記上側係合穴と前記上側軸部材の係合を解除して一旦係合状態を前記下側係合穴と前記下側軸部材の係合のみにした後前記開閉部材の開放端部側を下方に傾けながら前記上側固定板部との干渉を避けて前面側に前記開閉部材を引き出すことにより前記本体枠の前記下側軸部材或いは前記下側係合穴の一方に対して前記開閉部材の前記下側軸部材或いは前記下側係合穴の他方を傾斜した状態で乗り越えさせて前記開閉部材を取り外すことが可能な構成としたことを要旨とするものである。
【００１０】
本発明遊技機において、請求項２に記載のように、請求項１に係り、前記支持部の前記凸部が、前記開閉部材を一定角度以上開放した状態から閉鎖した状態に移動する際に前記開閉部材を下方から上方に向けて誘導し易くするための傾斜部を備える構成である。
【００１１】
本発明遊技機において、請求項３に記載のように、請求項１又は２に係り、前記支持部が、前記本体枠に前記開閉部材を閉鎖した状態で、前記開閉部材の軸着中心部に対し前記開閉部材の開放端部側となる位置に設けられている構成である。
【発明の効果】
【００１２】
請求項１の本発明遊技機は、前記下側固定板部或いは前記下側軸固定部には、前記開閉部材を前記本体枠に閉鎖する際に前記開閉部材を支持する凸状の支持部が設けられていることにより、開閉部材を閉める際に前記固定板部と前記軸固定部との間に前記凸部が介在して前記開閉部材が略水平となる状態に支持されるため閉鎖をスムーズに行うことができるから、開閉部材の組付けが容易である。また本発明は、前記本体枠から前記開閉部材を一定角度以上開放した場合、支持部による支持が解除されて前記開閉部材の少なくとも一部が前記支持部によって支持されていた位置よりも前記支持部の高さ分下方に移動することで前記本体枠の前記上側固定板部と前記開閉部材の前記上側軸固定部との間が拡大し、開閉部材の可動領域が拡大して開閉部材を取外し易くすることが可能である。このように本発明遊技機は、本体枠からの開閉部材の脱着作業を容易に行うことができる。
【００１３】
請求項２の本発明遊技機は、前記支持部の前記凸部が、前記開閉部材を一定角度以上開放した状態から閉鎖した状態に移動する際に前記開閉部材を下方から上方に向けて誘導し易くするための傾斜部を備える構成により、開閉部材が一定角度以上開放した状態から閉鎖した状態へ移動し易くすることが可能である。
【００１４】
請求項３の本発明遊技機は、前記支持部が、前記本体枠に前記開閉部材を閉鎖した状態で、前記開閉部材の軸着中心部に対し開閉部材の開放端部側となる位置に設けられている構成により、前記本体枠に前記開閉部材を閉鎖した状態において開閉部材の開放端部側を強化して支持することが可能である。
【発明を実施するための最良の形態】
【００１５】
以下、本発明の実施形態について図面を用いて詳細に説明する。図１は本発明遊技機の一実施例を示す正面図であり、図２は図１の背面図である。図１に示すように、本実施例の遊技機はパチンコ遊技機１であり、所要の奥行きを有する額縁形状に形成された機枠２（外枠と云うこともある）の前面側に、一側縁として左側縁が軸着により開閉可能に形成された前面枠３（内枠と云うこともある）が取り付けられ、前面枠３の前面側にガラス枠４や下皿部材５等の開閉部材が取り付けられている。本実施例では、本発明の本体枠は前面枠３であり、本発明の支持部を設けた開閉部材は下皿部材５である。
【００１６】
なお本発明において、遊技機の前面とは、遊技機正面側のことであり、遊技機の左側、右側、上側、下側とは、遊技機を前面から見た場合の左側、右側、上側、下側のことであり、図１において、図中、それぞれ左側、右側、上側、下側のことである。また遊技機の背面側を後面と云うこともある。
【００１７】
前面枠３には開口部６が設けられ（図４参照）、前面枠３の開口部６には、図１に示すように遊技盤７が前面枠３に脱着可能に組み付けられている。遊技盤７の周縁には、発射装置８（図２参照）から発射された遊技球をガイドするための内側ガイドレール９と外側ガイドレール１０からなるガイドレールが、略円形に設けられている。内側ガイドレール９によって囲まれた部分が遊技領域として形成されている。また同図に示すように、パチンコ遊技機１の左側面にはプリペイドカードユニット１１が取付られている。
【００１８】
図１に示すように、ガラス枠４は、前面枠３の前面側に遊技盤を視認可能に形成され、上皿１２と一体に形成されている。ガラス枠４の上部左右両側にスピーカ１３が取り付けられ、遊技領域の周囲に装飾ランプ１４が設けられている。下皿部材５には下皿１５と下皿球抜き操作部１６、下皿球出口２４等が設けられている。また前面枠３には、前面枠の鍵１７、遊技球を発射操作するための発射ハンドル１８等が取り付けられている。また上皿１２には、上皿操作部１９、球貸し操作部２０等が設けられている。また遊技盤の遊技領域内には、特別図柄表示装置２１等の表示装置、始動入賞装置２２、特別入賞装置２３等の各種入賞装置が設けられている。
【００１９】
パチンコ遊技機１は、発射ハンドル１８の操作により、発射装置８から遊技領域に発射された遊技球が、転動しながら遊技盤７表面を落下し、入賞装置に入ると、所定の賞球遊技球が球払出口から払い出されるようになっている。
【００２０】
図２に示すように、パチンコ遊技機１の機枠２の後面側には、枠用外部端子基板３０、図柄制御基板３１、主制御基板３２、音声制御基板３３、ランプ制御基板３４、払出制御基板３５、発射装置制御基板３６、電源基板３７等の各種基板、カードインターフェース接続部３８、球寄せ３９、タンク４０、タンクレール４１、払出装置４２、発射装置８等が設けられている。
【００２１】
図３は機枠と前面枠の取付構造を示すための分解斜視図である。前面枠３は機枠２から脱着可能に取付られている。同図に示すように前面枠３の左側縁上下には、係合穴３０１、３０２を有する被係合部が設けられている。機枠２の左側縁上下の、前記前面枠３の被係合部の係合穴３０１、３０２に対応する位置には、前記被係合部の係合穴３０１、３０２に係合する軸部材２０１、２０２を有する係合部が設けられている。同図に示すように、機枠２の軸部材２０１、２０２に、前面枠３の係合穴３０１、３０２を上から嵌め込むことで、前面枠３は機枠２に軸着される。前面枠３は、機枠２の軸部材２０１、２０２を軸として回動し、機枠２に対して開閉可能に形成されている。
【００２２】
図４は前面枠３からガラス枠４を開いた状態を示す斜視図であり、図５は前面枠からガラス枠及び下皿部材を開いた状態を示す斜視図である。図４に示すように、前面枠３には、遊技盤７を取り付けるための開口部６が設けられ、該開口部６の周囲の上皿の後面に対応する位置には、上皿球出口４３、ファール球通路４４、球送り装置４５等が設けられている。
【００２３】
図４に示すように、前記ガラス枠４の下側には、遊技球等の遊技媒体を貯留するための下皿１５、下皿球出口２４、球抜き操作部１６等が設けられた下皿部材５が取り付けられている。図５に示すように、下皿部材５は、前面枠３に対して開閉可能であり、且つ前面枠３から脱着可能に、左側縁が前面枠３に軸着されて取り付けられている。ガラス枠４と下皿部材５は、別々に開閉可能であり、それぞれ前面枠３に対し脱着可能に取り付けられている。
【００２４】
図６は前面枠の正面図であり、図７は前面枠の斜視図であり、図８は図７の下皿部材係合部の拡大図である。図６〜８に示すように、前面枠３には下皿部材５を係合するための下皿部材係合部３００が設けられている。前面枠３の下皿部材係合部３００は、前面枠３の左側縁の下方に設けられた下皿部材下方固定部３１０と、左側縁の前記下皿下方固定部３１０よりも上方の、下皿部材５とガラス枠４との境界となる位置に設けられた下皿上方固定部３２０とからなる。
【００２５】
図８に示すように、前面枠３の下皿部材下方固定部３１０は、前面枠３の前端から前面側に突出し平板状に形成された軸固定部３１１と、該軸固定部の上に上方に突出するように形成された軸部材３１２とから構成される。また前面枠３の下皿上方固定部３２０は、図８に示すように、前面枠３の前端から前面側に突出し平板状に形成された固定板３２１と、該固定板３２１を貫通する貫通孔からなる係合穴３２２とから構成される。
【００２６】
なお、固定板３２１の上面側は、後述するガラス枠４の係合部となるガラス枠下方固定部３３０として形成されている。ガラス枠下方固定部３３０は、前面枠の前端から前面側に突出し平板状に形成された軸固定部３３１と、該軸固定部３３１の上に上方に突出するように形成された軸部材３３２とから構成されている。
【００２７】
図９は下皿部材の正面図であり、図１０は下皿部材の斜視図である。図９及び図１０に示すように、下皿部材５には、前記前面枠３の下皿部材係合部３００に係合する被係合部５００が設けられている。下皿部材５の被係合部５００は、左側縁下方であり、前面枠３の下皿部材下方固定部３１０に対応する位置に設けられた下方被係合部５１０と、左側縁上方であり前面枠３の下皿上方固定部３２０に対応する位置に設けられた上方被係合部５２０とから構成されている。下皿部材５は、前面枠３の下皿部材係合部３００に被係合部５００が係合することにより、前面枠３に対して脱着可能に軸着されている。
【００２８】
図９及び図１０に示すように、下皿部材５の上方被係合部５２０には、前面枠３の軸固定板部３２１の下側に嵌るように上面が平坦に形成された軸固定部５２１が設けられている。軸固定部５２１の中程には下皿上方固定部３２０の係合穴３２２に挿入される軸部材５２２が設けられている。下皿部材５の下方被係合部５１０は、前面枠３の下皿部材下方固定部３１０の軸固定部３１１の上に載る固定板部５１１が設けられ、該固定板部５１１には下皿部材下方固定部３１０の軸部材３１２が挿入される係合穴５１２が設けられている。更に固定板部５１１には、下方に突出する突起からなる支持部５１３が設けられている。また、下皿部材５の右側縁上部には下皿開放操作部５６０の開放操作摘み５６３が設けられている。
【００２９】
図１１は下皿部材の背面図であり、図１２は下皿部材を背面側から見た分解斜視図である。図１１に示すように、下皿部材５の上方被係合部５２０の軸部材５２２は、下皿部材５の背面側に設けられている下皿取外し操作部５３０を手で操作することによって、下方にスライドして移動可能に形成されている。図１２に示すように、軸部材５２２は、先端部５３６とスライド部５３１と下皿取外し操作部５３０とが一体に形成されている。スライド部５３１には、縦長に形成され上下左右に所定間隔を持ってた設けられた２つの貫通孔からなるガイド孔５３２、５３２と、コイルばねからなる付勢部材５３３を引っ掛けるための引っ掛け部５３４とが設けられている。
【００３０】
図１２に示すように、下皿部材５は、遊技機前面側の下皿本体５４０と遊技機後面側の下皿裏カバー５５０とから構成されている。軸部材５２２の下皿本体５４０への取り付けは、スライド部５３１の２つのガイド孔５３２に止めネジ５３５を挿通し、ガイド孔５３２に沿ってスライド部５３１が上下にスライド可能に係止する。更にコイルばねからなる付勢部材５３３を下皿本体５４０側の引っ掛け部５４１と軸部材の引っ掛け部５３５に引っ掛ける。この引っ掛け部は、付勢部材５３３を引っ掛けた際に、軸部材５２２が上方に付勢されるように形成されている。
【００３１】
下皿本体５４０に軸部材５２２を取り付けた後、下皿本体５４０に下皿裏カバー５５０を取り付ける。下皿裏カバー５５０に設けられた下皿取外し操作部挿通孔５５１から、軸部材５２２の下皿取外し操作部５３０が遊技機後方に突出するように位置し、手で操作可能に形成されている（図１１参照）。軸部材５２２は２つのガイド孔５３３が左右に所定の距離を持って平行に設けられているので、軸部材５２２が遊技機の垂直方向上下にスライドする。また軸部材５２２の上下方向のスライド量は、ガイド孔５３２の上下の長さによって規制されている。軸部材５２２の下方への移動は、軸部材の先端部５３６が軸固定部５２１の表面から突出しない位置まで下がるように形成されている。
【００３２】
下皿部材５の軸部材５２２は、付勢部材５３４により常に上方に付勢されているから、通常、軸部材の先端部５３１は軸固定部上面から上方に突出している。これに対し、下皿取外し操作部５３０を手で下方に押し下げると、軸部材５２２が下方にスライドし、先端部５３６が軸固定部５２１上面から突出しない状態となる。下皿取外し操作部５３０から手を離すと、付勢部材５３３により軸部材５２２が上方にスライドして軸固定部５２１上面から突出した状態に戻る。軸部材５２２の先端部５３６が軸固定部５２１上面から突出しないようになると、軸部材５２２が前面枠３の下皿上方固定部３２０の係合穴３２２（図８参照）に係合されている状態が解除される。このように下皿取外し操作部５３０は、下皿部材５の被係合部５００が前面枠３の係合部３００に係合されて下皿部材５が前面枠３に軸着されている状態を解除することができる。
【００３３】
更に下皿部材には、図１１及び図１２に示すように、前面枠３に閉鎖された下皿部材５を開放するための下皿開放操作部５６０が設けられている。同図に示すように、下皿開放操作部５６０は、下皿部材の被係合部５００とは反対側である、パチンコ遊技機の左側の下皿部材の開放端部側の、下皿裏カバー５５０の後側に設けられている。図１２に示すように下皿開放操作部５６０は、固定部材５６１と該固定部材５６１に上下にスライド可能に取り付けられる開放操作部材５６２とから構成される。図１２に示すように、固定部材５６１は板状体からなり、コイルばねからなる付勢部材５６７の引っ掛け部５６８と、下皿本体５４０に固定するためのネジ孔５６９が設けられている。
【００３４】
開放操作部材５６２は、板状体の上端が遊技機前面側に突出するように折り曲げられた開放操作摘み５６３と、遊技機後方に突出し先端が上方に凸となるＬ字状に折り曲げ形成された二つの係止爪５６４、５６４と、上下に縦長の貫通孔からなる二つのガイド孔５６５、５６５と、付勢部材５６７の引っ掛け部５６９とが設けられている。ガイド孔５６５、５６５は、上下左右に所定の間隔を持って設けられている。
【００３５】
下皿開放操作部５６０の下皿部材への取付は下記の通りである。開放操作部材５６２は、下皿裏カバー５５０に固定部材５６１が止めネジによって固定され、該固定部材５６１に開放操作部材５６２のガイド孔５６５に止めネジ５７０を挿通し、開放操作部材５６２が上下にスライド可能にネジ止めされる。そしてコイルばねからなる付勢部材５６７が、固定部材の引っ掛け部５６８と開放操作部材の引っ掛け部５６９に引っ掛けられている。付勢部材５６７は、下皿開放操作部の開放操作部材５６２を上方に付勢するように引っ掛けられている。
【００３６】
図９及び図１０に示すように、下皿開放操作部５６０は、開放操作摘み５６３が、下皿部材５の上縁よりも上方に突出するように取付られている。図４に示すように前面枠３からガラス枠４を開放し、前面枠３に下皿部材５を閉鎖した状態では、開放操作摘み５６３は手で下方に押し下げ可能な位置にある。下皿開放操作部５６０の開放操作摘み５６３を押し下げると、通常は上方に付勢されている開放操作部材がガイド孔５６５に沿って垂直下方に移動して、係止爪５６４が下方に移動する。
【００３７】
図６に示すように、前面枠３には、下皿開放操作部５６０の係止爪５６４、５６４に対応する位置に、金属板からなる係止爪固定片３６４、３６４が設けられている。係止爪５６４、５６４は、上方に付勢された状態で係止爪固定片３６４、３６４に係止され、下皿部材５が前面枠３に閉鎖されて開放しないように固定される。下皿開放操作部５６０の開放操作摘み５６３を手で押し下げると、係止爪５６４、５６４が下方に移動して係止爪固定片３６４、３６４による係止が解除され、下皿部材５を前面枠３から開放することができるようになる。
【００３８】
係止爪５６４、５６４は、図１２に示すように、遊技機後方が先細状になるようにテーパーが付いている。そのため、下皿部材５を閉じる場合は、下皿開放操作部の開放操作摘み５６３を手で下に押し下げなくても、下皿部材５の係止爪側を前面枠３に押し込むと、開放操作部材の係止爪５６４、５６４はその上部が係止爪固定片３６４、３６４の下面に当接しながら下方にスライドする。更に下皿部材５が前面枠３に押し込まれ、係止爪固定片３６４、３６４の下面が係止爪５６４の上端を超えるところに達すると、開放操作部材５６２は上方に付勢されているから、係止爪５６４、５６４の鈎状になった部分が係止爪固定片３６４、３６４に係止され、下皿部材５の水平方向の移動が抑制され閉鎖状態に固定される。すなわち、下皿部材５を前面枠３に閉鎖する場合は、特に開放操作摘み５６３を押し下げなくても、下皿部材５の開放端部側を前面枠３に押し込むだけで閉鎖することができる。
【００３９】
図９、図１０、図１１に示すように、下皿部材５の下方被係合部５１０の支持部５１３は、固定板部５１１の係合穴５１２以外の位置に設けられている。この支持部５１３は、固定板部５１１と対向する前面枠３の下皿部材下方固定部３１０の軸固定部３１１側に突出するように形成されている。また図１８（ａ）に示すように、下皿部材５を前面枠３に閉鎖した状態では、支持部５１３は前面枠の下皿下方固定部の軸部材３１２に当接せず軸固定部３１１に当接する位置に設けられている。
【００４０】
図１３は下皿部材の底面図である。図中上方が遊技機前面側であり、下方が遊技機後面側である。図１４は図１３のＡ−Ａ断面である。図１５は下皿部材の右側面図である。図１３〜図１５に示すように、支持部５１３は、下方に突出する半球状突起として形成されていて、突起の周囲から中心に徐々に突出するように傾斜を有し、中心が最も高く形成されている。図１３に示すように前面枠３に下皿部材５を閉鎖した状態において、該下皿部材５の左側縁の軸着中心部Ｘに対し、下皿部材５の右側縁の開放端部Ｑ側に設けられている。
【００４１】
図１６（ａ）、（ｂ）は下皿部材の支持部周辺を下方から見た斜視図であり、（ａ）は下皿部材を閉鎖した状態を示し、（ｂ）は下皿部材を一定角度開放した状態を示す。図１７は遊技機のガラス枠及び下皿部材を開放した状態を示し、遊技機底面側から見た図である。また図１８は、下皿部材の支持部の機能を説明するための図であり、（ａ）は支持部が設けられた下皿部材を閉鎖した状態を示し、（ｂ）は支持部のない下皿部材を開放した状態を示し、（ｃ）は（ａ）の下皿部材を開放した状態を示し、（ｄ）は下皿部材を開放して開放端部側が垂れ下がった状態を示す。図１９（ａ）、（ｂ）は、下皿部材の下方被係合部と前面枠の下皿部材下方固定部の関係を示す模式図であり、（ａ）は下皿部材を前面枠に閉鎖した状態を示し、（ｂ）は下皿部材を前面枠から一定角度開放した状態を示す。
【００４２】
支持部５１３は、前面枠３に下皿部材５を閉鎖した場合、下皿部材５を閉鎖状態としやすい第一位置に支持するために設けられている。下皿部材５を閉鎖状態としやすい第一位置は、図１６（ａ）、図１８（ａ）及び図１９（ａ）に示すように、下皿部材５を閉鎖した場合、支持部５１３の凸部が前面枠３の軸固定部３１１と下皿部材５の固定板部５１１との間に介在している状態となって、軸固定部３１１と固定板部５１１との間に所定の間隔（支持部５１３の高さ分）を有する位置である。軸固定部３１１と固定板部５１１との間に間隔を有することで、図１８（ａ）に示すように、下皿部材５の固定板部５１１と前面枠３の軸固定部３１１の接触面積が小さくなる。前面枠３と下皿部材５の接触部分が小さくなれば、下皿部材５が回動しやすくなり、下皿部材５の閉鎖を容易に行うことができる。また、下皿部材５の左側縁の軸着中心部Ｘに対して、下皿部材５の右側縁の開放端部Ｑ側に支持部５１３が設けられているため、第一位置で開閉部材、特に開放端部Ｑ側を強化して支持することが可能である。
【００４３】
下皿部材５に支持部５１３が設けられていない場合、図１８（ｂ）に示すように、支持部５１３の凸部が前面枠３の軸固定部３１１と下皿部材５の固定板部５１１との間に介在せず、軸固定部３１１と固定板部５１１との間隔が狭くなる。下皿部材５は、下方に下がった位置で固定板部５１１が軸固定部３１１に保持される。このように下皿部材５の軸着部側が下方に落下した状態になると、下皿部材５を水平にした場合、開放端部Ｑ側も下にずり落ちた状態となって、前面枠の取付部と位置が整合しなくなる。この状態で下皿部材５を前面枠３に閉鎖しようとすると、軸着部側と開放端部側の両方をずり落ちた分Ｅだけ上に持ち上げて閉鎖しなければならないことになり、閉鎖がし難くなる。
【００４４】
下皿部材５を閉鎖状態としやすい第一位置として、更に好ましくは、前面枠３に対して下皿部材５が略水平な状態となる位置である。図１８（ａ）に示すように、下皿部材５が略水平な第一位置とした場合、下皿部材５の開放端部Ｑ側が前面枠３の取付部に整合した状態で、下皿部材５が前面枠３に閉鎖していることになる。具体的には、図１８（ａ）に示すように、下皿部材５が軸着している被係合部の軸が前面枠３の係合部の軸と同一となる垂直状態に軸支された場合に、下皿部材５は支持部５１３により支持されて、下皿部材５の左右方向が前記係合部の軸と直交して、開放端部Ｑ側が前面枠３の取付部の位置と高さが整合する位置のことである。このように下皿部材が略水平な状態となる位置では、下皿部材５の軸着部を軸として略水平な状態で回動可能である。その結果、下皿部材を閉鎖する場合に、下皿部材を回動させると水平に回動して前面枠の所定の位置に整合させるのがスムーズに行うことができる。その結果、下皿部材の閉鎖を更に容易に行うことができる。
【００４５】
図１６（ｂ）、図１７及び図１９（ｂ）に示すように、前面枠３から下皿部材５を一定角度以上開放した場合、支持部５１３が前面枠３の軸固定部３１１と当接していたのが外れて、下皿部材５は支持部５１３による支持が解除される。図１６（ｂ）及び図１８（ｃ）に示すように、下皿部材５は、支持部５１３による支持が解除されると、前面枠３の軸固定部３１１と下皿部材５の固定板部５１１との間に、支持部５１３の凸部が介在しない状態となって、固定板部５１１と軸固定部３１１の間隔を狭めることができるようになる。この場合、下皿部材５は、その自重により前記第一位置よりも低い位置に移動して、下皿部材５の固定板部５１１が、軸固定部３１１に直接支持される。
【００４６】
この位置は、下方の下皿部材５を取外し易い状態とする第二位置であり、この第二位置は前記第一位置とは異なる位置であり、支持部５１３の高さの分だけ下方の位置である。またこの下皿部材を取外し易い状態とする第二位置は、図１８（ｂ）に示した支持部を設けない場合と同様に、下皿部材５を水平状態とした場合の開放端部側が前面枠の取付部と整合しない上下にずれた位置であるから、下皿部材を閉鎖状態とし難い位置である。
【００４７】
下皿部材５を一定角度以上開放して第二位置に移動した状態で、下皿取外し操作部５３０を下方に押し下げて、軸部材５２２の係合穴３２２に対する係合を解除すると、下皿部材５の開放端部側を下方に傾けることができるようになる（図１８（ｄ）参照）。このように下皿部材５の開放端部側が下方に傾いた状態で、下皿部材５を遊技機前面側に引き出せば、下皿部材５を前面枠３から容易に取り外すことができる。
【００４８】
図１８（ｃ）に示すように、下皿部材５を一定角度以上開放して第二位置に移動した状態になると、前面枠３の係合部と下皿部材５の軸支されている一側端の被係合部との間の隙間Ｆが拡大して、下皿部材５の被係合部の上下方向の実質的な可動領域が広がることになる。下皿部材５の被係合部の上下の可動領域が拡大すれば、下皿部材５を前面枠３の係合部から取り外すことが容易である。
【００４９】
本発明において、支持部５１３を設ける位置は、前面枠３の下皿部材下方固定部３１０の軸固定部３１１の形状に応じて決めることができる。前面枠３の下皿下方固定部３１０の大きさは、支持部５１１の位置に応じて、所定の大きさに形成される。前記軸固定部３１１が大きければ、下皿部材３１１を開放した場合に、その開放角度が大きくなった状態でも、支持部５１３は軸固定部３１１の上に位置し、下皿部材３は支持部５１３により支持されることになる。しかし、この状態では下皿部材の被係合部の上下方向の実質的な可動領域が広がらないので、前面枠からの取外しがしにくくなる。
【００５０】
下皿部材５を所定の角度に開放した際に、支持部５１３の支持が外れる下皿部材の所定の開放角度は、例えば３０度〜６０度に形成することが好ましい。なお下皿部材５の開放角度は、図１９（ｂ）に示すように、下皿部材５を前面枠３に閉鎖した状態から、下皿部材５の左側縁の軸着部を中心として右側縁の開放端部側を前面側に水平に回動させて開放した場合の角度θのことである。
【００５１】
支持部５１３の形状は、突起状に形成されていて凸部を有するものであれば特に限定されないが、支持部５１３の凸部は、下皿部材５を第二位置から第一位置に移動する際に該下皿部材５を下方から上方に向けて誘導し易くするための傾斜部を備えることが好ましい。例えば図１４に示す半球状突起の様に、テーパーを有し段差のない凸部の形状を有する突起は、下皿部材を下方から上方に向けて誘導し易くするための傾斜部を備えていると言える。この傾斜部により、下皿部材５を前面枠３に押し込んで閉鎖する際に、支持部５１３が軸固定部３１１に当接した後、下皿部材５が軸固定部３１１の上に乗り上げる高さが徐々に高くなって行く。その結果、傾斜がなく段差を有する形状の支持部の場合と比較して、下皿部材５を更にスムーズに閉じることができる。
【００５２】
また、支持部５１３の凸部は、上記半球状突起の様に、下皿部材５を第一位置から第二位置に移動する際に該下皿部材５を上方から下方に向けて誘導し易くするための傾斜部を備えることが好ましい。前面枠３から下皿部材５を開放する場合にも、支持部５１３の支持が外れる際に、支持部５１３に段差があると急激に支持が解除されるのに対し、上方から下方に誘導する傾斜を有していれば、除除に支持が解除されて、開放端部の位置が除除に下方に移動するから、下皿部材５の開放を更にスムーズに行うことができる。
【００５３】
以下、下皿部材５を前面枠３に装着する場合について図７及び図１０を用いて説明する。同図に示すように前面枠３への下皿部材５の取付は、先ず、下皿部材５の下方被係合部５１０に設けられている係合穴５１２を前面枠３の下皿部材下方固定部３１０の軸部材３１２に挿入する。このとき下皿部材５は、前面枠３に対する水平方向の開放角度が、少なくとも支持部５１３による軸固定部３１１の支持が解除される角度以上に開放した状態とする。また下皿部材５の係合穴５１２を前面枠３の軸部材３１２に挿入する場合、係合穴５１２が設けられている被係合部の端部よりも開放端部Ｑ側が低い位置となるように、下皿部材５に角度を付けた状態で挿入する。
【００５４】
次いで、下皿部材５の後面に設けられている下皿取外し操作部５３０（図１１参照）を手で下方に押し下げて、下皿部材上方の軸部材５２２を下方にスライドさせて、軸固定部５２１の上面から上に出ないようにした状態にする。この状態で下皿部材の軸部材５２２の位置と、前面枠３の下皿上方固定部３２０に設けられた係合穴３２２の位置を合わせる。下皿部材５の軸部材５２２の位置と前面枠３の係合穴３２２の位置が一致したならば、下皿取り外し操作部５３０を下方に押し下げていた手を離す。軸部材５２２は付勢部材５３４により上方にスライドして、軸部材５２２の先端が係合穴３２２に挿入し、下皿部材５の左側縁が前面枠３に軸支された状態となる。
【００５５】
図５、図１６（ｃ）、図１７等に示すように、この状態では下皿部材５は前面枠３に対し開放した状態である。この状態から下皿部材５を水平方向に回動させ、開放端部側Ｑを前面枠３に手で押し込んで下皿部材５を閉鎖する。下皿部材５の開放端部側Ｑに設けられている下皿開放操作部５６０の係止爪５６４が、前面枠３の係止爪固定片３６４に係止される。下皿部材の開放端部を押し込んだ手を離しても、係止爪５６４が係止爪固定片３６４に係止されているから下皿部材の閉鎖状態は維持される。
【００５６】
以下、下皿部材５を前面枠３から取り外す場合について説明する。先ず下皿部材５の開放端部を開放する。図４に示すようにガラス枠４が開放した状態で、下皿部材５の下皿開放操作部５６０の開放操作摘み５６３を手で下方に押し下げると、前面枠３の係止爪固定片３６４に係止されている下皿開放操作部５６０の係止爪５６４が外れる。この状態で下皿部材５の開放端部側Ｑを遊技機前方側に引き出し、下皿部材５を開放する。この時、下皿部材５は、支持部５１３の支持が外れる一定角度以上に回動させて開放する。下皿部材５は支持部５１３による支持が解除されて、下皿部材５の自重により余分な力を必要とせず、下皿部材５は下方の第二位置に移動する。
【００５７】
次いで下皿部材５が軸着されている係合部側を取外す。下皿部材５の後面側の下皿取外し操作部５３０を手で下方に押し下げて軸部材５２２を下方にスライドさせる。前面枠３の下皿上方固定部３２０の係合穴３２２から軸部材３１２の挿入状態を解除し、開放端部側が下になるように傾ける。この時、下皿部材５の上方被係合部５２０の軸固定部５２１が、前面枠３の下皿上方固定部３２０の固定板部３２１から外れるところまで傾ける。その状態で、下皿部材５を斜め前方に持ち上げると、下皿下方固定部３１０の軸部材３１２に挿入していた下皿部材５の固定板部５１１の係合を解除して、下皿部材を取り外すことができる。
【００５８】
図２０はガラス枠の分解斜視図であり、図２１はガラス枠を前面枠に取り付けた状態を示す上方係合部の拡大図である。以下、ガラス枠の前面枠への取付方法について説明する。ガラス枠４は、図４に示すように、上皿１２と一体に形成されており、上皿１２と共に前面枠３に対して開閉し着脱可能に取り付けられている。ガラス枠４は図２０に示すように、前面側に位置しているガラス枠本体４１０に、後面側のガラス裏カバー４２０を取付けて一体に形成されている。
【００５９】
図６で説明したように、前面枠３には、軸固定部３３１と軸部材３３２からなるガラス枠下方固定部３３０と、固定板部３４１と係合穴３４２からなるガラス枠上方固定部３４０とが設けられている。図２０に示すように、ガラス枠４の左側縁下方には、前面枠３のガラス枠下方固定部３３０に係合する下方被係合部４３０が設けられている。下方被係合部４３０は固定板部４３１と該固定板部４３１を貫通する穴として設けられた係合穴４３２とから構成される。また、ガラス枠４の左側縁上方には、前面枠３のガラス枠上方固定部３４０に係合する上方被係合部４４０が設けられている。上方被係合部４４０は軸固定部４４１と該軸固定部から突出する軸部材４４２とから構成される。
【００６０】
ガラス枠４の軸部材４４２は、後面側に設けられているガラス枠取外し操作部４５０によって上下にスライド可能に形成されている。軸部材４４２の上下移動量は、下方が少なくとも軸部材４４２の先端が軸固定部４４１の表面から突出しない位置であり、上方が図２１に示すように少なくとも軸部材４４２の先端が前面枠３のガラス枠上方固定部３４０の係合穴３４２に挿入して軸支される位置となるように形成される。
【００６１】
ガラス枠４の左側縁上方及び下方は前面枠３に軸着して係合している。ガラス枠４の下方被係合部４３０の係合穴４３１が、図８に示す前面枠３のガラス枠下方固定部３３０の軸部材３３２に挿通している。図２２は、ガラス枠の上方係合部の拡大図であり、（ａ−１）は開放レバーを操作しない通常時の正面図であり、（ａ−２）は（ａ−１）の左側面図であり、（ｂ−１）は開放レバーを操作して脱着する際の正面図であり、（ｂ−２）は（ｂ−１）の左側面図である。図２２（ａ−１）、（ａ−２）に示すように、軸部材４４２はコイルばねからなる付勢部材４４３により上方に付勢され、前面枠３のガラス枠上方固定部３４０の係合穴３４２に挿入されている。
【００６２】
図２２（ｂ−１）、（ｂ−２）に示すように、ガラス枠取外し操作部４５０を上に押し上げると、軸部材４４２は下方に移動して、前面枠３のガラス枠上方固定部３４０の係合穴３４２から軸部材４４２の先端が外れる。この状態でガラス枠４を前方に傾けて、斜め前方上方に引き上げることで、前面枠３からガラス枠４を取り外すことができる。
【００６３】
ガラス枠４を前面枠３に軸着する場合、先ずガラス枠を前面側斜め上方から、ガラス枠下方被係合部４３０の係合穴４３２を前面枠３のガラス枠下方固定部３３０の軸部材３３２に係合する。次いで、ガラス枠取外し操作部４４３のレバーを上に押し上げて軸部材４４２の先端を下方に移動させ、係合穴３４２に位置を合わせる。ガラス枠取外し操作部４４３のレバーから手を離すと、付勢部材４４３により軸部材４４３が上方にスライドして係合穴３４２に挿入する。ガラス枠４は左側縁が前面枠３に軸着される。左側縁が軸着されたガラス枠４は回動させて閉鎖すると、右端開放端部に設けられている係止部材により前面枠に係止される。
【００６４】
上記実施例では、開閉部材（下皿部材）の支持部の位置として、固定板部の下面側に凸となるように設けたが、本発明遊技機において開閉部材の支持部を設ける位置は、この位置に特に限定されない。例えば支持部を設ける位置は軸固定部の上面に設けても良い。また、開閉部材の上方被固定部に支持部を設けても良い。
【００６５】
また上記実施例は、支持部が設けられた開閉部材として下皿部材に適用した態様を示したが、支持部が設けられた開閉部材としてガラス枠に適用してもよい。また、上記実施例では、本体枠と開閉部材として前面枠と下皿部材を適用したが、例えば本体枠として機枠２、開閉部材として前面枠３に適用しても良い。また、上記実施例では、本体枠に対して開閉部材を回動可能に軸着する構成であるが、例えば、本体枠に対して開閉部材を一定距離所定方向にスライド移動すると、支持部による支持が解除されて、第一位置から第二位置へ移動する構成にしても良い。また、第一位置或いは閉鎖位置と開閉部材の支持が解除される開放角度θの間に開閉部材を一旦仮固定する仮固定部を設けて、仮固定部において開閉部材を外すことなく、開閉部材や本体枠などの点検作業などを行う構成にしても良い。また、本発明遊技機は、パチンコ遊技機に限らず、スロットマシン等に適用しても良い。
【図面の簡単な説明】
【００６６】
【図１】本発明遊技機の一実施例を示す正面図である。
【図２】図１の背面図である。
【図３】機枠と前面枠の取付構造を示すための分解斜視図である。
【図４】前面枠からガラス枠を開いた状態を示す斜視図である。
【図５】前面枠からガラス枠及び下皿部材を開いた状態を示す斜視図である。
【図６】前面枠の正面図である。
【図７】前面枠の斜視図である。
【図８】図７の下皿部材係合部の拡大図である。
【図９】下皿部材の正面図である。
【図１０】下皿部材の斜視図である。
【図１１】下皿部材の背面図である。
【図１２】下皿部材を背面側から見た分解斜視図である。
【図１３】下皿部材の底面図である。
【図１４】図１３のＡ−Ａ断面である。
【図１５】下皿部材の右側面図である。
【図１６】（ａ）、（ｂ）は下皿部材の支持部周辺を下方から見た斜視図であり、（ａ）は下皿部材を閉鎖した状態を示し、（ｂ）は下皿部材を開放した状態を示す。
【図１７】遊技機のガラス枠及び下皿部材を開放した状態を示し、遊技機底面側から見た図である。
【図１８】下皿部材の支持部の機能を説明するための図であり、（ａ）は支持部が設けられた下皿部材を閉鎖した状態を示し、（ｂ）は支持部のない下皿部材を開放した状態を示し、（ｃ）は（ａ）の下皿部材を開放した状態を示し、（ｄ）は下皿部材を開放して開放端部側が垂れ下がった状態を示す。
【図１９】（ａ）、（ｂ）は、下皿部材の下方被係合部と前面枠の下皿部材下方固定部の関係を示す模式図であり、（ａ）は下皿部材を前面枠に閉鎖した状態を示し、（ｂ）は下皿部材を前面枠から一定角度開放した状態を示す
【図２０】ガラス枠の分解斜視図である。
【図２１】ガラス枠を前面枠に取り付けた状態を示す上方係合部の拡大図である。
【図２２】ガラス枠の上方係合部の拡大図であり、（ａ−１）は開放レバーを操作しない通常時の正面図であり、（ａ−２）は（ａ−１）の左側面図であり、（ｂ−１）は開放レバーを操作して脱着する際の正面図であり、（ｂ−２）は（ｂ−１）の左側面図である。
【図２３】従来の遊技機の本体枠と開閉部材を示す分解斜視図である。
【図２４】（ａ）、（ｂ）は、従来の遊技機の本体枠と開閉部材を示す正面図であり、（ａ）は開閉部材を閉鎖した状態を示し、（ｂ）は開閉部材を開放した状態を示す。
【符号の説明】
【００６７】
１ パチンコ遊技機
３ 前面枠
５ 下皿部材
３００ 前面枠の下皿部材係合部
３１０ 下皿下方固定部
３１１ 軸固定部
３１２ 軸部材
３２０ 下皿上方固定部
３２１ 固定板部
３２２ 係合穴
３６４ 係止爪固定片
５００ 下皿部材の被係合部
５１０ 下方被係合部
５１１ 固定板部
５１２ 係合穴
５１３ 支持部
５２０ 上方被係合部
５２１ 軸固定部
５２２ 軸部材
５３０ 下皿取外し操作部
５３１ スライド部
５３２ ガイド孔
５３３ 付勢部材
５３４ 引っ掛け部
５３５ 止めネジ
５３６ 先端部
５４０ 下皿本体
５５０ 下皿裏カバー
５５１ 下皿取外し操作部挿通孔
５６０ 下皿開放操作部
５６１ 固定部材
５６２ 開放操作部材
５６３ 開放操作摘み
５６４ 係止爪
５６５ ガイド孔
５６７ 付勢部材
５６８、５６９ 引っ掛け部
５７０ 止めネジ
Ｘ 下皿部材の左側縁の軸着中心部
【図１】
0004344364.tif 000002
【図２】
0004344364.tif 000003
【図３】
0004344364.tif 000004
【図４】
0004344364.tif 000005
【図５】
0004344364.tif 000006
【図６】
0004344364.tif 000007
【図７】
0004344364.tif 000008
【図８】
0004344364.tif 000009
【図９】
0004344364.tif 000010
【図１０】
0004344364.tif 000011
【図１１】
0004344364.tif 000012
【図１２】
0004344364.tif 000013
【図１３】
0004344364.tif 000014
【図１４】
0004344364.tif 000015
【図１５】
0004344364.tif 000016
【図１６】
0004344364.tif 000017
【図１７】
0004344364.tif 000018
【図１８】
0004344364.tif 000019
【図１９】
0004344364.tif 000020
【図２０】
0004344364.tif 000021
【図２１】
0004344364.tif 000022
【図２２】
0004344364.tif 000023
【図２３】
0004344364.tif 000024
【図２４】
0004344364.tif 000025